(57)【要約】［課題］　これまで、有効活用が少なかった廃棄物である都市ごみ焼却灰と上水道浄化泥や石炭灰や製紙スラッジや廃木材屑や杉間伐材の粉砕物やオガクズや籾殼と破棄物から出来ている人工ゼオライトとの混合物に植物の種子を混合して、都市型緑化資材の有効活用を開発する。併せて、廃棄物終末処理場の狭隘延命に貢献する。［解決手段］　前述の課題である廃棄物を植物が育つ土壌に改良製造し、植物の種子や肥料を混合した物を目的物の型枠やトレーに入れて灌水し目的の植物を育てる。用途により造粒物を同様な方法で改良製造し灌水して植物を育てる。型枠やトレーの底部から微粉末物の流防や、上面の飛散防止を特殊な合成接着剤で防止する。型枠やトレーの多きさは用途別により使用し、建物の屋上や地表面やその他に敷き詰め、植物が生長する緑化資材を製造し、廃棄物や活用が少なかった物の有効活用により都市緑化の問題を解決する。【特許請求の範囲】
【請求項１】
各種人工ゼオライトと上水道浄化泥や都市ごみ焼却灰や石炭灰や製紙スラッジと廃木材屑や樹皮や杉間伐材を適度な大きさに粉砕した物やオガクズや籾殼を混合製造した都市緑化用資材リョッカ・ゼオ資材の製造方法。
【請求項２】
請求項１の物を用途別により型枠やトレーで製造する都市緑化資材リョッカ・ゼオの資材の製造方法。
【請求項３】
請求項１の物に植物の種子を内部に播種混合する都市緑化用資材リョッカ・ゼオ資材の製造方法。
【請求項４】
請求項１の物に化学肥料や有機肥料を内部に混合する都市緑化用資材リョッカ・ゼオ資材の製造方法。
【請求項５】
請求項１の物を造粒物にする都市緑化用資材リョッカ・ゼオ資材の製造方法。
【請求項６】
請求項５の物に植物の種子を内部に播種混合する都市緑化用資材リョッカ・ゼオ資材の製造方法。
【請求項７】
請求項５の物に化学肥料や有機肥料を内部に混合する都市緑化用資材リョッカ・ゼオ資材の製造方法。
【請求項８】
請求項１から請求項７の都市緑化用資材リョッカ・ゼオ資材の使用方法。
【発明の詳細な説明】
【０００１】
［発明の属する技術分野］
本発明は、廃棄物から製造されている各種人工ゼオライト及び廃棄物となっている上水道浄化泥や都市ごみ焼却灰や石炭灰や製紙スラッジ（以下未利用物１という）と廃木材屑や樹皮や間伐材を適度の大きさに粉砕した物（以下未利用物２という）やオガクズや籾殼（以下未利用物３という）を適度に混合し、植物の種子を内部に播種混合し、植物を生長させた物が、建物の屋上や地表面等の温度上昇を抑制する都市緑化資材の製造方法及び取扱方法に関する。
【０００２】
［従来の技術］
都市屋上緑化資材として一般的に認知され使用されているチップや樹皮や水ゴケや天然ゼオライトやパーライトや廃プラスチック等を原料とした加工物が殆どあり、これらの素材を土壌様条件にして植物を植えている。
【０００３】
又、従来からコンクリートやブロック等の型枠の中に植物を植えているが、このような方法では重量物となるため平面積の大きい屋上全体を緑化することは困難である。
【０００４】
草木質系のみの水ゴケや茅やチップや樹皮やオガクズや木屑類は腐食発酵速度が早く、腐食発酵により悪臭の原因や木質の腐食を好む虫等が発生したり、更に経年劣化により分解速度が加速して植物の生長環境が変化し草木の成育不良が発生すると共に、ついには土壌化して雨水や灌水により配水管に流入し、配水管や排水設備の詰まりにもなり、更に一般排水溝の汚泥増加になって行きます。
【０００５】
天然ゼオライトやパーライトは経年劣化が殆ど無く安定しているが植物の成育根圏域環境には必ずしも良い提供にはならないため、植物の安定成育が出来ないでいる。また、パーライトは真比重が軽いため風雨により植物が倒壊する等安定培土となっていない。安定物とするためいろいろな加工が必要である。
【０００６】
合成樹脂から出来ている、廃プラスチックを加工して植物を植えているが、植物成長の環境条件が整っていないため長期の植物の栽培には適していない。また、真比重が軽いため風雨により植物が倒壊する等安定培土となっていない。安定物とするためいろいろな加工が必要である。
【０００７】
一般土壌や砂類を加工して植物の成育土壌を試みているが、雨水により流出や重量が増す等の難易性があり期待する効果は出ていない現状である。
【０００８】
杉間伐木炭や竹炭等やココナッツ殼やヤシ殼類の炭を土壌化して植物成育を試みているが、炭質が多い条件下では生育環境条件が整わないため期待する効果は出ていない。
【０００９】
これまで、都市の屋上緑化にするため、植物を植える良質な土壌が見出だされていない。風雨に強く、植物の成長がよく、環境にも優しいリサイクル用品の土壌資材の開発がまたれています。
【００１０】
同様に、廃棄物を活用した地上のコンクリート面上やアスファルト面上やブロック面上に比較的簡易に使用できる植物成長緑化資材の開発が待たれています。
【００１１】
［発明が解決しようとする課題］
従来は、植物を植える屋上緑化土壌資材は、草木系の物は嫌な害虫発生や腐食分解による配水設備の詰まり、天然鉱物系又は廃プラスチックは植物の環境不適合によるものが多く屋上緑化には期待する効果が出ない等の問題点があった。
【００１２】
また、草木系のみの土壌を使用の場合。雨水や散水による土壌の流出による排水設備の詰まりや、害虫を駆除するために化学性殺虫剤を使用するため健康面や環境汚染面の新たな問題が発生している。
【００１３】
本発明は、人や環境に優しく、風雨に強く、植物がよく成長する各種人工ゼオライトや上水道浄化泥や都市ごみ焼却灰や石炭灰や製紙スラッジと廃木材屑や樹皮や間伐材を適度の大きさに粉砕した物やオガクズや籾殻等のそのぞれの機能を相乗効果させたリサイクル品を数種類混合した物を活用した土壌資材で、特殊な合成接着剤により雨水や散水を流防し、又は飛散防止を行い前述の問題点を解決する製造方法や使用方法を提供する事を目的とする。
【００１４】
［課題を解決するための手段］
本発明は、人や環境に優しく、風雨に強く、植物がよく成長するリサイクル品を数種類混合した物を活用した緑化資材で、廃棄物から出来ている各種人工ゼオライトと同じく廃棄物から出来ている未利用物１と未利用物２や未利用物３等のそのぞれの機能を相乗効果させたリサイク物を適宜混合し、植物の種子を中に入れ、場合によっては化学性無機肥料や有機性肥料を少量混合した物を型枠やトレーに入れる。用途別によっては造粒物を製造する。目的場所に設置後、散水して植物を育て成長した物が、前述の問題点を解決する製造方法や使用方法を提供する事を目的とする。
【００１５】
［発明の実施の形態］
本発明は、各種人工ゼオライトと未利用物１と未利用物２や未利用物３等のそのぞれの機能を相乗効果させた物を数種類適宜混合した後、植物の種子を中に入れ、土壌床となる灰や人工ゼオライトの微粒子及びその他の資材の微小物が型枠の底部からの流防のため特殊な合成接着剤を底部に塗布し、又、飛散しないよう上面に塗布し、目的の型枠やトレー等に入れてリョッカ・ゼオ資材を製造します。
【００１６】
リョッカ・ゼオ資材の製造方法の詳細について、廃棄物から製造されている石炭灰の人工ゼオライト、又は、製紙スラッジ焼却灰の人工ゼオライトと上水道浄化泥、又は、都市ごみ焼却灰、又は、石炭灰、又は、製紙スラッジと廃木材屑や樹皮や間伐材を適度の大きさに粉砕した物やオガクズや籾殻等を用途別に数種類を適宜混合した後、植物の種子と化学性無機肥料又は有機肥料を入れて混合し、水道水を入れて撹拌混合し適度に泥化した物を、必要とする型枠やトレーに入れて、又は、造粒機により製造します。
【００１７】
次ぎに、《００１６》の物を、植物の種子を発芽させるために、温度がセッシ２３度以上になる所に置き、乾燥しないように灌水します。
【００１８】
人工ゼオライトの混合比率は、５パーセントから１５パーセント程度します。人工ゼオライトを多く混合すると植物の生長が一時的に著しく抑制されるので注意が必要です。
【００１９】
植物の生長を良くするために、《００１６》の作業段階の中で、植物の種子混合時に三要素や微量要素入りの肥料を少量混入させます。使用量は、植物の場合で、型枠物の大きさが縦横３０センチと６０センチ、厚さ３セント程度の水稲育苗箱物ではチッソ成分換算で２グラム程度とする。多く使用すると肥料焼けが生じて植物が発芽しないか或いは発芽しても芽だし初期に枯れてしまう現象となるので注意が必要です。
【００２０】
尚、肥料を混合せず、生育初期から生育期間中にかけて、液体肥料を希しゃくして、芝生に直接散布する方法もあります。
【００２１】
肥料入りの物にするか、無肥料物にするかは用途や要望に応じて製造を選定して行く事になります。
【００２２】
次ぎに、造粒物の製造方法について、造粒は造粒機に人工ゼオライトと未利用物１と未利用物２と未利用物３を用途別に適宜混合した後、《００１６》から《００２１》の方法で混合して、必要とするいろいろな大きさの物を回転型装置や押出し型の装置でリョツカ・ゼオ資材の造粒物を製造します。
【００２３】
前述の方法で製造した物を屋上や地表面に実用する時は、リョッカ・ゼオ資材が好ましく長期に安定成長するために、定植する土壌床の深さは１０センチ以上の物が好ましく、深い程好ましい。定植土壌床の原料も前述の廃棄物の混合物を使用します。
【００２４】
人工ゼオライトについて、陽イオン交換能力はＣＥＣが２２０以上で高いほど好ましく、化学肥料の流防や急な肥料効きを押さえて遅効となり植物生長に好ましく、又、肥料の流防を行う事により環境にも優しくなります。
【００２５】
人工ゼオライトの種類は高温処理されている灰より、低温処理されている灰が炭素やその他の微量要素の残存率が高いため植物の成長には好ましい。
【００２６】
しかし、人工ゼオライトの製造面から見ると、炭素やその他の微量要素の残存率が高い物ほど良質な人工ゼオライトの製造は難しい等の面もあります。
【００２７】
前述の上水道浄化泥は重金属等環境基準値以下が使用条件である。この基準値以下の物は土壌が肥沃に富んでいるので土壌床の主材料としては最適である。
【００２８】
都市ごみ焼却灰と石炭灰と製紙スラッジを比較すると、製紙スラッジが炭素やその他の微量要素の含有率が高く好ましい。臭気がなくなった古い物が好ましい。
【００２９】
但し、製紙スラッジはペーハーが高いため、使用する事前にペーハーを６．５ぐらいに調整するか、又は、人工ゼオライトを製造する段階で、人工ゼオライトのペーハーを５．５前後に製造して、製紙スラッジと人工ゼオライトの混合でペーハーを６．５から７．０程に調整する方法もあります。
【００３０】
合成接着剤の使用量について、本来、植物の種子が発芽し生長するための土壌条件は適度の通水や空気通が必要であり、これらの最低条件を確保して置かないと植物は生長できない。合成接着剤の使用量はこれらの条件が保てるような量を土壌床底部や表面に流防や飛散しない程度に散布する必要があります。種子の発芽力や根の増大力による型枠等の崩壊を極力防止する程度にします。
【００３１】
通水できる合成繊維の網目は３乃至４マイクロミリ以上が好ましく、毛せんは微細孔径がある程肥料イオンや微量要素イオンの通過にも好ましい。
【００３２】
人工ゼオライトの微細孔径は、５から２０オングストローム程度であり、アンモニウムイオン等の肥料イオンや農薬等やその他の金属イオンを吸着でき、排水の浄化にも繋げることができます。
【００３３】
人工ゼオライトは用途によりカルシウム型やマグネシウム型やカリウム型やその他の物を単独で又は混合で使用すると良い効果があります。
【００３４】
植物の種子及び成長物の根圏域環境を良好に保つために、又は、根圏域環境をより向上させるために前述の物以外に草木質等の茅や木の葉や水苔等を適宜混合する事により良い効果があります。
【００３５】
前述の方法で製造した、リョッカ・ゼオ資材は都市緑化の屋上やコンクリートやアスファルト面上以外の一般の農産園芸資材としても利活用する事ができます。
【００３６】
次ぎに製造装置の説明であるが、人工ゼオライトと未利用物を混合撹拌する装置であればどの様な装置でもよく特に限定する物ではありません。
【００３７】
造粒装置について、希望する造粒できる物であれば特別に限定する物ではありません。
【００３８】
造粒物の乾燥装置について、特に限定するものではありません。
【００３９】
［実施例］
石炭灰に人工ゼオライト１０パーセント当りを混合した物と、オガクズと籾殻を入れて更に撹拌混合した物に、芝生の種子を一般播種使用量と市販の３要素入りの粒型の有機肥料をチッソ換算で２グラムを入れ、水道水は手でダンゴが出来る程度とし、泥化した物で土壌床を作りました。
【００４０】
容器の底部から土壌床が流出しないようにするため、合成接着剤を水稲育苗用箱に使用する専用紙に適量を吹き付け水分で破けないようにし、又、側面から微粒物が流れないようしました。
【００４１】
深さ３センチ、縦３０センチと横６０センチ型の水稲育苗用ポリ容器に００３９項目の物を入れて土壌床にし、平らに一杯になるよう入れた後、上面の土壌物が飛散しない程度に合成接着剤を吹き付けました。
【００４２】
同様な方法で、同じ物を合計２枚製造しました。
【００４３】
００４０項目で製造したリョッカ・ゼオ資材をセッシ２３度以上の場所に置き発芽を促しました。
【００４４】
発芽するまで、毎日リョッカ・ゼオ資材が乾燥しないようにタップリ散水を行いました。
【００４５】
散水から６日目の平成１４年７月２７日の朝に表面に芽出しを概ね２０％を確認しました。
【００４６】
翌日の朝、平成１４年７月２８日に芽出しは概ね１００％を確認しました。
【００４７】
発芽の勢いはよく、人工ゼオライトや珪素やアルミナやその他の微量要素や肥料成分が効いた硬くて丈夫な芝生の発芽でした。
【００４８】
発芽揃いから１週間目の平成１４年８月４日に生長をよくするため３要素入りのチッソ換算５パーセントの化学液肥を１０００倍に希釈しリョッカ・ゼオ資材１枚当り１．０リットル散布しました。
【００４９】
乾燥しないよう毎日散水を行い、２週間目の平成１４年８月１１日に生長をよくするため３要素入りの同様の化学液肥を１０００倍に希釈しリョッカ・ゼオ資材枚当り１．１リットル散布しました。
【００５０】
芽出し１週間後から、前述の要領で１週間ごとに３要素入りの同様の化学液肥を１０パーセントを増量し、１か月間観察しました。
【００５１】
発芽揃いの平成１４年７月２８日から平成１４年８月２７日までの１カ月間の生長は表１のとおりです。
【００５２】
リョッカ・ゼオ資材の平板の目土入りに、２乃至３ミリ程度の造粒物を使用し芝生の全面張りの生長を行いました。
【００５３】
目土入り２週間程から徐々に芝生はお互いに他の平板に渡り合いを始めました。
【００５４】
芝生の生長や若返りに有機質や化学肥料を含んだ、よく熟成した上水道浄化泥等を表面に薄く散土すると芝生の生長を促進させる事ができました。
【００５５】
芝生の生長に伴い、いろいろな病気や害虫が発生するので病害虫防除を１回行いました。
【００５６】
［発明の効果］
廃棄物である人工ゼオライトと未利用物１と、用途拡大先が少ない未利用物２や未利用物３の数種類の混合物に植物の種子を内部に混合製造した物が、植物の生長により敷き詰めた面の温度上昇を抑制する効果がある都市の屋上やその他の場所を緑化する事ができます。
【００５７】
都市ごみ焼却灰の人工ゼオライト製造の場合は、都市ごみの完全リサイクルに繋げていく事ができます。
【００５８】
紙の生産終末で出る製紙スラッジも身近な廃棄物であり、同様に建築廃木や樹皮や杉間伐材やオガクズや籾殻も本発明で容易にリサイクルできます。
【００５９】
本発明は、廃棄物や未利用物を活用して緑化資材等とする事ができます。
【００６１】芝生の生長観察表
実施例１．芝生名　西洋芝　　　　製造日　平成１４年７月１９日
土壌床の使用材料名と重量混合比率
石炭灰８０％　，石炭灰人工ゼオライトＣａ型１０％、オガクズ１０％
縦横３０センチ×６０センチ×深さ３センチ角の水稲育苗箱２枚使用
2004097185.tif 000002
実施例２．芝生名　西洋芝　　　　製造日　平成１４年７月１９日
土壌床の使用材料名と重量混合比率
石炭灰９０％　，石炭灰人工ゼオライトＣａ型１０％
縦横３０センチ×６０センチ×深さ３センチ角の水稲育苗箱２枚使用
2004097185.tif 000003
【図面の簡単な説明】
【図１】型枠として水稲育苗箱を使用し、リョッカ・ゼオ資材を一杯に入れ、植物の種子と有機質肥料を入れた外観図である。
【図２】リョッカ・ゼオ資材の造粒物の中に植物の種子と有機質肥料を入れた外観図である。
【符号の説明】
１．型枠外観図。
２．土壌床のリョッカ・ゼオ資材の外観図。
３．植物の種子。
４．化学性無機肥料や有機質肥料。
５．造粒物の土壌床外観図。
【図１】
2004097185.tif 000004
【図２】
2004097185.tif 000005